(57)【要約】【課題】光ディスクのコンテンツに関する情報の処理をすばやく行い、他の記録再生装置により上書き、追記、書き換え等なされたときも容易にこの状態を検出し、ユーザの誤り判断を防止することができる。【解決手段】情報テーブル保存部１０４、又は１０３が、光ディスクの内容に関する情報と、ディスク識別情報と、装置との関連を示す特定情報とを有する情報テーブルを保存する。光ディスク装填時に識別情報を検出する識別情報検出部１０１ａと、検出識別情報が情報テーブルに存在するか否かを検索する検索部１０１ｂと、ディスク上の特定情報が現在の装置に対応するかどうかを判定する特定情報処理部１０１ｆを有する。そして識別情報が存在し、特定情報が装置に対応する場合、関連情報をユーザインターフェースに出力する通知処理部１０１ｃを有する。【選択図】図１
2007172687.tif 000002
【特許請求の範囲】
【請求項１】
リムーバブルな情報記録媒体に記録されているコンテンツに関する情報と、前記情報記録媒体のバーストカッティングエリアのディスク識別情報と、この情報記録媒体と装置との関連付けを示す特定情報と、を相互に関連させて有する情報テーブルを予め保存した情報テーブル保存部と、
リムーバブル情報記録媒体が装填されたときに、その情報記録媒体の識別情報を検出する識別情報検出部と、
前記識別情報検出部で検出された識別情報が、前記情報テーブルに存在するか否かを検索する検索部と、
上記情報記録媒体から読み出した特定情報が現在の装置に対応するものであるかどうかを判定する特定情報処理部と、
前記検索部の検索結果、前記識別情報が前記情報テーブルに存在し、前記読み出した特定情報が前記現在の装置に対応するものである場合、前記識別情報に関連した記録情報の内容に関する関連情報をユーザインターフェースに出力する通知処理部と、
を有したことを特徴とする情報記録再生装置。
【請求項２】
前記特定情報は、記録されたコンテンツに関する情報と装置に関する情報から一意的に作成される情報であることを特徴とする請求項１記載の情報記録再生装置。
【請求項３】
情報テーブル保存部は、装置に内蔵され、映像情報を記録再生可能なハードディスクを有した不揮発性記憶装置に含まれることを特徴とする請求項１記載の情報記録再生装置。
【請求項４】
情報テーブル保存部は、装置に内蔵された専用の半導体メモリであることを特徴とする請求項１記載の情報記録再生装置。
【請求項５】
前記通知処理部は、
前記識別情報が前記情報テーブルに存在しない場合、前記情報記録媒体がこの装置で取り扱われたことがない旨のコメントを表示する手段を含むことを特徴とする請求項１記載の情報記録再生装置。
【請求項６】
前記通知処理部は、
前記識別情報が前記情報テーブルに存在するが、前記特定情報が前記現在の装置に対応しない場合、前記情報記録媒体が他の装置で取り扱われた経緯がある旨のコメントを表示する手段を含むことを特徴とする請求項１記載の情報記録再生装置。
【請求項７】
さらに、前記識別情報検出部で検出された識別情報が、前記情報テーブルに存在しない場合に、この識別情報を前記情報テーブルに登録する情報テーブル処理部を有したことを特徴とする請求項１記載の情報記録再生装置。
【請求項８】
光ディスクを着脱自在な光ディスクドライブと、ハードディスクを駆動する不揮発性駆動装置と、前記光ディスク及びハードディスクから再生されたデータを表示器に出力する画像・音声信号出力装置と、動作を制御するシステムコントローラとを有し、前記光ディスクに記録されている記録内容情報の調査及び提示方法において、
前記光ディスクに記録されているコンテンツに関する情報と、前記光ディスクのバーストカッティングエリアのディスク識別情報と、この光ディスクと装置との関連付けを示す特定情報とを相互に関連させて有する情報テーブルを予め情報テーブル保存部に保存し、
光ディスクが装填されたときに、その光ディスクの識別情報を検出し、
前記検出された識別情報が、前記情報テーブルに存在するか否かを検索し、
前記特定情報が現在の装置に対応して関連性があるものであるかどうかを判定し、
前記検索結果、前記識別情報が前記情報テーブルに存在し、前記特定情報が前記現在の装置に対応するものである場合、前記識別情報に関連した記録情報の内容に関する関連情報を表示させる
ことを特徴とする記録内容情報の調査及び提示方法。
【請求項９】
前記識別情報が前記情報テーブルに存在しない場合、前記情報記録媒体がこの装置で取り扱われたことがない旨のコメントを表示することを特徴とする請求項８記載の記録内容情報の調査及び提示方法。
【請求項１０】
前記識別情報が前記情報テーブルに存在するが、前記特定情報が前記現在の装置に対応しない場合、前記情報記録媒体が他の装置で取り扱われた経緯がある旨のコメントを表示することを特徴とする請求項８記載の記録内容情報の調査及び提示方法。
【請求項１１】
前記光ディスクと装置との関連付けを示す特定情報は、
前記光ディスクに記録された複数のコンテンツにそれぞれ個別に付けられた個別特定情報と、
前記光ディスクの全体を特定するための全体特定情報を含むことを特徴とする請求項８記載の記録内容情報の調査及び提示方法。
【請求項１２】
前記光ディスクと装置との関連付けを示す特定情報は、
前記光ディスクに記録された複数のコンテンツのグループ毎に付けられた個別特定情報と、
前記光ディスクの全体を特定するための全体特定情報を含むことを特徴とする請求項８記載の記録内容情報の調査及び提示方法。
【発明の詳細な説明】
【技術分野】
【０００１】
この発明は、情報記録再生装置及びその記録内容情報の調査及び提示方法に関するものであり、例えば多くのリムーバブルディスクに保存した各記録内容をユーザが容易に判別できるようにし、装置の使い勝手を向上したものである。
【背景技術】
【０００２】
近年、Digital Versatile Disc(ＤＶＤ)のように映画や音楽などのデジタル化された映像音響作品などを蓄積する媒体としての光ディスクが開発されて普及している。このＤＶＤを再生する情報記録再生装置は、さらに、内蔵のハードディスクドライブ（ＨＤＤ）を有し、ＤＶＤ再生の他に、放送信号の番組を録画する装置としても用いられる。
【０００３】
上記の情報記録再生装置を利用した場合、ユーザは、ハードディスクに記録した番組を、例えばバックアップすることがある。このために、ユーザは、番組を複写あるいは移動したＤＶＤを多数所持するようになる。
【０００４】
ここで、問題となるのは、多数のＤＶＤを管理する方法である。多数のＤＶＤが蓄積された場合、ユーザは、どのＤＶＤにどのような番組が記録されているのかを把握できなくなる恐れがある。
【０００５】
このような問題を解決するために、特許文献１に記載された技術がある。ここでは、光ディスクのＩＤを読み取り、このＩＤと一致する別の記憶装置に格納されているコンテンツ内容を表示する記録再生システムが開示されている。
【特許文献１】特開２００３−１７３５４１公報
【発明の開示】
【発明が解決しようとする課題】
【０００６】
光ディスクに記録されているコンテンツがどのような内容であるかをユーザが認識できるようにするためには、以下のような方法がある。コンテンツに関する情報を視認できるように光ディスクに記録する方法がある。また、またコンテンツに関する情報を光ディスクの記録領域に記録し、再生時にこの情報を再生して表示する方法がある。
【０００７】
しかし、光ディスクに視認情報を記録するためには、記録再生装置に特殊な記録手段が必要となり高価になるとともに、記録動作終了後の処理に時間がかかる。また、コンテンツに関する情報を光ディスクの記録領域に記録する方法も、光ディスクの記録終了後に時間がかかるし、また再生時にこの情報を光ディスクから読み出すので、比較的時間がかかる。
【０００８】
そこで、この発明の一目的は、比較的簡単な方法により、リムーバブルな情報記録媒体のコンテンツに関する情報を管理することができ、また、コンテンツに関する情報の処理をすばやく行うことができる、記録内容の調査及び提示機能を有した情報記録再生装置及び記録内容の調査及び提示方法を提供することにある。さらにまたこの発明の他の目的では、リムーバブルな情報記録媒体が他の記録再生装置により、上書き、追記、書き換えなどなされたときも容易にこの状態を検出し、ユーザの誤り判断を防止することができる、記録内容の調査及び提示機能を有した情報記録再生装置及び記録内容の調査及び提示方法を提供することにある。
【課題を解決するための手段】
【０００９】
この発明の一面では、リムーバブルな情報記録媒体の記録情報の内容に関する情報と、前記情報記録媒体のバーストカッティングエリアのディスク識別情報と、この情報記録媒体と装置との関連付けを示す特定情報とを相互に関連させて有する情報テーブルを予め保存した情報テーブル保存部１０４、又は１０３と、リムーバブル情報記録媒体が装填されたときに、その情報記録媒体の識別情報を検出する識別情報検出部１０１ａと、前記識別情報検出部で検出された識別情報が、前記情報テーブルに存在するか否かを検索する検索部１０１ｂと、上記情報記録媒体から読み出した特定情報が現在の装置に対応するものであるかどうかを判定する特定情報処理部１０１ｆと、前記検索部の検索結果、前記識別情報が前記情報テーブルに存在し、前記読み出した特定情報が前記現在の装置に対応するものである場合、前記識別情報に関連した記録情報の内容に関する関連情報をユーザインターフェースに出力する通知処理部１０１ｃと、を有する。
【発明の効果】
【００１０】
上記の手段によると、ＢＣＡの識別情報を読み取って検索を行うために、迅速に識別情報が、前記情報テーブルに存在するか否かを検索し、識別情報に関連した記録情報（コンテンツ）の内容に関する情報を出力することができる。また特定情報を利用したことにより、装置に対応したディスクを確実に検出することができる。
【発明を実施するための最良の形態】
【００１１】
以下、図面を参照してこの発明の実施の形態を説明する。図１には、この発明の装置の基本的な概念をブロック化して示している。
【００１２】
１００は情報記録再生装置であり、例えばＨＤＤを内蔵するとともに、光ディスクドライブ１０２を有する。光ディスクドライブ１０２に対しては、ＤＶＤ−Ｒ，ＤＶＤ−ＲＷ，ＤＶＤ−ＲＡＭなどの記録媒体を装着、離脱することができる。１０１は、システムコントローラであり、マイクロコンピュータを含む。１０３は、ＨＤＤ（不揮発性記憶装置）である。不揮発性記憶装置であれば、半導体メモリであってもよい。
【００１３】
１０４は、ＨＤＤ，あるいは半導体メモリなどの不揮発性、若しくは揮発性の記憶装置である。１０５は、画像・音声信号出力装置であり、ＨＤＤ１０３，あるいは記憶装置１０４、あるいは光ディスクドライブからの再生出力信号をユーザインターフェースである表示器１０６に出力する。上記のシステムコントローラ１０１、光ディスクドライブ１０２、ＨＤＤ１０３、記憶装置１０４、画像・音声信号出力装置１０５は、バス１０７により接続されている。さらに、放送信号受信処理部１０９、外部入力処理部１１０、リモコン信号受信部１１１も設けられ、バス１０７に接続されている。
【００１４】
システムコントローラ１０１は、バス１０７を介して、ＨＤＤ１０３、記憶装置１０４、光ディスクドライブ１０２、画像・音声信号出力装置１０５などを制御する。さらに、放送信号受信処理部１０９、外部入力処理部１１０、リモコン信号受信部１１１も制御する。
【００１５】
上記したシステムコントローラ１０１には、識別情報検出部１０１ａ，検索部１０１ｂ、通知処理部１０１ｃ、情報テーブル処理部１０１ｄ、操作入力処理部１０１ｅを含む。また特定値（ハッシュ値）処理部１０１ｆを含む。これらの相互の関連及び動作については、後でさらに説明する。
【００１６】
今、不揮発性記憶装置１０３のハードディスクに記録されている番組が、光ディスクドライブ１０２に装填されている光ディスクに移動されたものとする。すると、システムコントローラ１０１は、光ディスクに記録されている記録情報の内容に関する情報と、光ディスクのバーストカッティングエリアの識別情報を関連させる。そして、この関連情報を、不揮発性記憶装置１０３もしくは記憶装置１０４に形成されている情報テーブル１０４ａに格納する。１１２は、エンコーダ・デコーダ部であり、放送信号を受信し、不揮発性記憶装置１０３あるいは光ディスクに対して、圧縮して記録する場合にここでフォーマット化される。また、不揮発性記憶装置１０３あるいは光ディスクから再生した信号を逆フォーマット化する場合もこのエンコーダ・デコーダ部１１２が利用される。なお、記憶装置１０４としては、不揮発性記憶装置（ＨＤＤ）１０３が兼用されてもよい。
【００１７】
図２は、上記の情報テーブル１０４ａの一例を示している。左側から第１番目の列ＣＬ１は、この装置で、時期を違えて取り扱ったディスクの順序を示す数である。第２番目の列ＣＬ２は、取り扱った年月日、第３番目の列は、取り扱った時間、４番目の列はチャンネル、５番目の列は収録時間、６番目の列はジャンル、７番目の列はタイトル名、８番目の列は圧縮レート、９番目の列はデータのサイズ、１０番目の列はディスクＩＤ、１１番目の列はハッシュ値となっている。
【００１８】
ここで、ハッシュ値１４０、１４１などは、この情報記録再生装置の固有ＩＤと例えば関連情報（ディスクＩＤあるいはタイトル名など）を用いて作成した特定情報の値である。このために、装填されたディスクのＩＤとテーブル上のディスクＩＤが一致しても、このテーブル上のハッシュ値と装填されたディスクに記述されているハッシュ値が異なるときは、違う情報記録再生装置で、このディスクが取り扱われたことを意味する。あるいは、ディスクが別の情報記録再生装置で取り扱われて、コンテンツの追記、あるいは消去、上書き、などが行われた可能性がある。
【００１９】
この情報テーブル１０４ａは、情報テーブル処理部１０１ｄにより作成されて記憶装置１０４もしくは記憶装置１０３に格納される。情報テーブル処理部１０１ｄは、情報テーブル１０４ａに格納する情報を取り扱う。
【００２０】
なお上記の特定情報であるハッシュ値は、装置内の情報テーブルに存在しなくてもよい。この代わりに、ディスクが利用される対応装置において特定の演算処理により一意的に導きだされるハッシュ値もしくは特定値が、光ディスクに記録されていればよい。
【００２１】
つまり、光ディスクが対応する装置に装填されたとき、光ディスクから読み出したハッシュ値もしくは特定値を、例えばこの装置特有の機器ＩＤにより検査し、予め定めている正しい値であれば、光ディスクは、当該装置で利用されたディスクであることが確認できる。この演算処理としては、例えば、機器ＩＤと光ディスクの特定値とを掛け算処理した場合、あるいは割り算処理した場合に、予め定めている値になったときが、対応関係にあるというふうに設定にされる。
【００２２】
図３は、光ディスク１３０を示している。１３１は、ホールであり、１３２は、バーストカッティングエリアである。このバーストカッティングエリア（ＢＣＡ）には、ディスクＩＤ１３３が記録されている。この光ディスク１３０の記録可能な位置には、ハッシュ値を書き込む領域１３４がある。このハッシュ値は、特定値処理部１０１ｆにより処理される。
【００２３】
図４は、上記の装置の動作例を示すフローチャートである。光ディスクがディスクドライブ１０２に装填されると、識別情報検出部１０１ａの動作により、ＢＣＡからディスクＩＤを読み出す（ステップＳＡ１）。次に、予め定めておいた書き込み領域から、ハッシュ値を読み出す（ステップＳＡ２）。
【００２４】
次に検索部１０１ｂにより、ディスクＩＤを用いて、情報テーブル１０４ａの中に対応するディスクＩＤがあるかどうかを検索する（ステップＳＡ３）。一致する情報が存在しない場合、通知処理部１０１ｃにより、ディスクの関連情報が情報テーブル１０４ａの中には存在しないことをユーザに知らせる（ステップＳＡ４，ＳＡ５）。そして、ユーザの次の操作入力を待つ。このときは、挿入された光ディスクが、これまで取り扱ったことの無いディスクであるから、情報テーブル１０４ａに登録するか否かの問い合わせが行われる。または、このような場合は、自動的に登録するように予め設定してもよい。
【００２５】
ステップＳＡ４において、装填された光ディスクのＩＤと一致するディスクＩＤが情報テーブル１０４ａに存在することが判定されたとき、ステップＳＡ６に移行する。ステップＳＡ６では、ハッシュ値の確認処理も行う。つまりハッシュ値がディスク及びこの装置に対応する元のハッシュ値であるかどうかの判定処理である。
【００２６】
ハッシュ値が元のハッシュ値であるときは、ディスクの関連情報が存在することを、通知処理部１０１ｃの処理に基づいて、ユーザに知らせる（ステップＳＡ７）。さらに、ハッシュ値が変更されていないことが判定されておれば、次のユーザ操作を待つ（ステップＳＡ８）。このときは、表示器１０６では、関連情報として、光ディスクに記録されているタイトル名などを表示する。次の操作としては、ディスクの取り出し処理、追記録画、あるいは、再生、あるいは初期化などである。
【００２７】
ステップＳＡ６において、ハッシュ値が変更されている（異なる）ことが判定されたときは、関連情報が変更されている（異なる）ことをユーザに通知する。つまり、同じ光ディスクが、別の記録再生装置で使用され、コンテンツの上書き、消去、追記、のいずれかを行われた可能性があるからである。
【００２８】
ＤＶＤ−ＲＡＭ，ＤＶＤ−ＲＷの場合は、記録再生装置Ａと記録再生装置Ｂの両方で使用されると、上書き、消去が可能であるから、関連情報がすべて変更されている可能性がある。このときは、ユーザに対して、このディスクを改めて登録するかどうか問い合わせる（上書きあるいは消去などを行う場合）（ステップＳＡ１０）。つまり、この光ディスクを、現在の記録再生装置で扱う光ディスク専用に登録するかどうかを問い合わせる。そして、次の操作を待つ（ステップＳＡ１１）。この場合は、再生処理、あるいは録画処理、あるいは消去処理、登録処理などの操作入力を待つ。
【００２９】
ここで、ＤＶＤ−ＲＡＭ，ＤＶＤ−ＲＷの場合と、追記型のＤＶＤ−Ｒの場合とでは、若干取り扱いが異なる。追記型のＤＶＤ−Ｒが、記録再生装置Ａと記録再生装置Ｂの両方で使用された場合、ディスクに記録したハッシュ値は、追記型であるが故に複数となる。
【００３０】
すると、記録再生装置Ａと記録再生装置Ｂの両方で使用可能となる。このために、このときは、ユーザに対して、このディスク（ＤＶＤ−Ｒ）は、記録再生装置Ａと記録再生装置Ｂの両方で使用可能ですというふうにコメントを表示する。なおＤＶＤ−Ｒに限らず、上記のＤＶＤ−ＲＡＭ，ＤＶＤ−ＲＷであっても、複数のハッシュ値もしくは特定値を書き込むようにすることで、複数の記録再生装置で使用できるように設定することができる。
【００３１】
上記のように情報テーブル１０４ａを設けて、光ディスクのディスクＩＤと関連させた関連情報を情報テーブル１０４ａに格納している。このために、ユーザは、多数の光ディスクを次々と光ディスクドライブ１０２に装填し、迅速にその記録内容を確認することができる。
【００３２】
図５（５ａ）、図５（５ｂ）、図５（５ｃ）には、上記の表示器１０６の表示例を示している。図５（５ａ）は、光ディスクを装填したときに、この光ディスクのディスクＩＤが情報テーブル内に存在し、かつハッシュ値がもとの状態にあるときの例である。このときは、情報テーブルの表示すべき内容が表示器１０６に表示される。図５（５ｂ）は、光ディスクを装填したときに、この光ディスクのディスクＩＤが情報テーブル内に存在しないときの表示例である。このときは、「このディスクはこの装置では取り扱われたことが有りません。」、「このディスクを登録しますか？登録するときは決定ボタンを押してください。」というように、画面上に操作案内を行うコメントが表示される。図５（５ｃ）は、光ディスクを装填したときに、この光ディスクのディスクＩＤが情報テーブル内に存在するが、ハッシュ値がもとの状態から変化しているときの例である。このときは、「このディスクは他の装置で取り扱われた経緯があります。」「内容を確認してください」というようなコメントが表示される。また「改めてこのディスクを登録しますか？登録するときは決定ボタンを押してください」とい言うようにコメントが表示される。
【００３３】
上記のような処理により、ユーザが多数の記録済みのディスクを所有し、各ディスクの内容を確認したい場合、迅速にその内容を確認することができる。また、記録されているコンテンツ（記録情報）と、使用している情報記録再生装置との整合性を迅速にチェックすることができる。また、他の装置で使用されたディスクであっても、改めて、本装置で用いるディスクとして登録することが可能であり、次回以降は、ディスクの検索が容易となる。
【００３４】
この発明は上記の実施の形態に限定されるものではない。光ディスクが複数の記録再生装置で利用された場合、この光ディスクには、装置毎のハッシュ値が記録されることがある。即ち、図３の１３４ａ，１３４ｂの如く複数のハッシュ値を装置毎に書き込むようにしてもよい。このようにした場合、装置での処理は、例えば、図６に示すようになる。
【００３５】
即ち、図４のステップと同一部分には同一符号を付している。複数のハッシュ値が存在する場合、ディスクＩＤが見つかったときに、ディスクより複数のハッシュ値を読み出す。そして、その複数ハッシュ値の中で、装置に保存しているハッシュ値と同じものがあるかどうか、または、装置に対応するハッシュ値が存在するかどうかを判定する（ステップＳＢ１）。装置に対応するハッシュ値が見つからない場合には、変更もしくは改竄されている可能性があるのでユーザにディスプレイあるいは音声を通じて通知する（ステップＳＢ２）。装置に対応するハッシュ値が見つかった場合には、関連情報がディスプレイに表示される（ステップＳＢ３，ＳＢ４）。
【００３６】
また特定情報処理部１０１ｆにおいて処理される上記した特定情報（例えばハッシュ値）の作成は、各種のバリエーションが可能であり、上記の作成方法が限定されるものではない。（１）コンテンツが複数であっても全体に対して１つの特定情報（全体に関する特定情報）を作る方法、（２）コンテンツ毎に１個ずつ特定情報（コンテンツ毎特定情報）を作る方法、（３）またこれらの組み合わせた方法、（４）複数のコンテンツ（例えばグループ化したもの）に１つの特定情報を設定し、全体として１つの特定情報を作成する組み合わせ方法がある。
【００３７】
組み合わせた方法であると、つぎのような利点がある。全体に関する特定情報を解析することにより、ディスクが直前に別の装置で利用された経緯があるかどうかを判別できる。この場合、次に、個別のコンテンツ毎あるいはグループ毎の特定情報を解析した場合、どのコンテンツあるいはどのグループのコンテンツが変更かどうかを判別することができる。
【００３８】
図７（Ａ）−（Ｃ）には、全体に関する特定情報（全体ハッシュ値）と個別特定情報（個別ハッシュ値）を用いた場合の情報テーブルと、ディスクに記録されている特定情報との関係を示している。今、図７（Ａ）の情報テーブルは、記録再生装置Ａの記憶装置１０４に構築されているものとする。そしてディスクＩＤ６０１を持つディスク１３０がこの記録再生装置Ａで使用され、個別ハッシュ値６１１−６１４に対応する３つのコンテンツを記録されたとする。するとこのディスク１３０は、図７（Ｂ）に示すように、個別ハッシュ値６１１−６１４と同じ個別ハッシュ値を記録されており、また、ディスク全体を記録再生装置Ａに対応付ける全体ハッシュ値６００が記録されている。
【００３９】
その後、このディスク１３０が別の記録再生装置Ｂで使用され、かつ一部のコンテンツが書き換えられたとする。すると、図７（Ｃ）に示すように、全体ハッシュ値が書き換えられて全体ハッシュ値６５０となり、また書き換えられたコンテンツに対応する個別ハッシュ値が個別ハッシュ値６５１となる。しかし、他のハッシュ値６１２，６１３，６１４はそのままである。
【００４０】
次に、このディスク１３０が再度、記録再生装置Ａで使用されたとする。すると、全体ハッシュ値が変更されているので、画面上では、図５（５ｃ）で示したように、「このディスクは他の装置で取り扱われた経緯があります」というようなコメントが表示される。しかし、図７のディスク１３０であると、個別ハッシュ値があるために、その変更されている部分を見つけることができ、「変更されているコンテンツは、次のコンテンツです」というように、個別ハッシュ値６５１に対応するタイトル名などを表示することが可能となる。
【００４１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４２】
【図１】この発明の一実施の形態を示す構成説明図である。
【図２】図１の不揮発性記憶装置１０４内に構成された情報テーブルの一例を示す図である。
【図３】光ディスクの例を示す図である。
【図４】この発明の装置の動作例を説明するために示すフローチャートである。
【図５】この発明の装置による表示器の表示例を示す説明図である。
【図６】この発明の装置の他の実施の形態における動作を説明するために示すフローチャートである。
【図７】この発明のさらに他の実施の形態を説明するために示した説明図である。
【符号の説明】
【００４３】
１００…情報記録再生装置、１０１…システムコントローラ、１０２…光ディスクドライブ、１０３…不揮発性記憶装置、１０４…記憶装置、１０５…画像・音声信号出力装置、１０６…表示器、１０７…バス、１０９…放送信号受信処理部、１１０…外部入力処理部、１１１…リモコン受信部、１１２…エンコーダ・デコーダ部。
【図１】
2007172687.tif 000003
【図２】
2007172687.tif 000004
【図３】
2007172687.tif 000005
【図４】
2007172687.tif 000006
【図５】
2007172687.tif 000007
【図６】
2007172687.tif 000008
【図７】
2007172687.tif 000009